(57)【要約】【課題】大梁の一部よりなる部分梁又は大梁を隣りの建物ユニットの柱に好適に連結することが可能なユニット式建物の柱梁連結構造を提供する。【解決手段】建物は、複数の建物ユニットが互いに連結されることにより構成されている。建物ユニットとして、横並びで設けられた２つの建物ユニット２０Ａ，２０Ｂを備える。建物ユニット２０Ｂは、床大梁２３の一部が除かれることにより形成された部分梁３５を備える。部分梁３５は、建物ユニット２０Ａの柱２１Ｘに対向して配置されている。部分梁３５と柱２１Ｘとの対向部分には、部分梁３５を柱２１Ｘに連結する連結ブラケット７０が設けられている。連結ブラケット７０は、部分梁３５のウェブ３５ａの外側面に固定された梁固定板部７１と、柱２１Ｘにおいて部分梁３５と対向する側面２１ａと直交する側面２１ｂにタッピングネジ７８により固定された柱固定板部７２とを備える。【選択図】      図５
2015183402.tif 000002
【特許請求の範囲】
【請求項１】
角形鋼管からなる複数の柱と、隣り合う前記柱にそれぞれ連結され形鋼からなる複数の大梁とを有して構成される建物ユニットを備え、その建物ユニットが複数組み合わされることで構築されるユニット式の建物に適用され、
前記建物ユニットとして、横並びで隣り合う第１ユニット及び第２ユニットを備え、
前記第１ユニットは、前記大梁の一部が取り除かれることにより形成された部分梁又は前記大梁のいずれかであり、前記第２ユニットの前記柱に対向して設けられた対向梁を有しており、
前記第２ユニットにおいて前記対向梁と対向する前記柱は対向柱であり、
前記対向梁を前記対向柱に対して連結する連結ブラケットを備え、
前記連結ブラケットは、
前記対向梁における前記対向柱との対向面に第１固定具により固定された梁固定板部と、
前記対向柱における前記対向梁との対向面と直交する側面に第２固定具により固定された柱固定板部とを有し、
前記柱固定板部は、前記第２固定具が当該柱固定板部を介して前記対向柱にねじ込まれることで当該対向柱に固定されていることを特徴とするユニット式建物の柱梁連結構造。
【請求項２】
前記連結ブラケットは、
前記柱固定板部に接続され前記対向柱の前記対向面に対向して設けられた対向板部と、
前記対向板部と前記梁固定板部とを繋ぐ繋ぎ板部とを有しており、
前記繋ぎ板部は、前記対向板部における前記柱固定板部側とは反対側の端部に接続されており、
前記梁固定板部は、前記繋ぎ板部から前記対向板部と同じ側に向けて延びていることを特徴とする請求項１に記載のユニット式建物の柱梁連結構造。
【請求項３】
前記対向板部は、前記対向柱の前記対向面に当接した状態で配置されていることを特徴とする請求項２に記載のユニット式建物の柱梁連結構造。
【請求項４】
前記対向梁は、両端がいずれも前記柱に固定されていない前記部分梁であることを特徴とする請求項１乃至３のいずれか一項に記載のユニット式建物の柱梁連結構造。
【請求項５】
前記部分梁は、前記大梁としての下梁の一部が取り除かれることにより形成され、
前記第１ユニットの内部には、当該下梁の長手方向に並んで複数の土間空間が形成されており、
当該下梁において前記各土間空間に対応する部位がそれぞれ取り除かれることにより前記部分梁が形成されていることを特徴とする請求項４に記載のユニット式建物の柱梁連結構造。
【請求項６】
前記第１ユニットには、前記各土間空間を仕切る仕切壁部が設けられており、
前記第１ユニットの床部には、前記部分梁とその部分梁と対向して設けられる下梁との間に、前記仕切壁部に沿って延びかつ当該仕切壁部を支持する支持梁が架け渡されて設けられていることを特徴とする請求項５に記載のユニット式建物の柱梁連結構造。
【請求項７】
前記仕切壁部は、横並びに設けられた複数の壁パネルを備え、
前記壁パネルは、壁面材と、その壁面材の裏面側に設けられた壁下地材とを有し、
前記複数の壁パネルのうち、前記第２ユニット側の端部に配置された壁パネルはその壁下地材が前記部分梁に固定されていることを特徴とする請求項６に記載のユニット式建物の柱梁連結構造。
【発明の詳細な説明】
【技術分野】
【０００１】
本発明は、ユニット式建物の柱梁連結構造に関する。
【背景技術】
【０００２】
従来より、建物の一種として、複数の建物ユニットが互いに連結されることにより構成されるユニット式建物が知られている（例えば特許文献１参照）。ユニット式建物では、建物ユニットが、複数の柱と、柱の上端部及び下端部に連結された複数の上梁及び下梁（大梁）とを有して構成されている。柱は例えば角形鋼管により形成され、上梁及び下梁は例えば形鋼により形成される。隣り合う建物ユニット同士は連結プレート等の連結部材を介して互いに連結されている。連結部材としては、例えば隣り合う建物ユニットの隣接する柱同士を連結するものが用いられる。
【０００３】
ユニット式建物では、建物内にインナガレージやアルコーブ等の土間空間が設けられる場合がある。その場合、建物ユニットとして、土間空間を形成するための専用の建物ユニットが設けられる場合がある。かかる建物ユニットでは、土間空間を形成すべく下梁の一部が取り除かれることがあり、その場合、下梁において残された（取り除かれなかった）部分が部分梁となる。かかる部分梁は、一端又は両端が柱に固定されていないため、位置ずれ等の不都合が生じる懸念がある。
【０００４】
そこで、かかる部分梁を、それと対向して設けられる隣りの建物ユニットの下梁にブラケットを介して連結することが考えられる。そうすれば、部分梁を下梁に拘束することができるため、上述の不都合を抑制することが可能となる。かかるブラケットとしては、互いに対向する一対の対向板部を有する断面コ字状のものが考えられる。その場合、ブラケットを下梁と部分梁との間に配設し、各対向板部のうちの一方を下梁に固定し、他方を部分梁に固定することが考えられる。この際、各対向板部の固定は、ボルト及びナットを用いて行うことが考えられる。
【先行技術文献】
【特許文献】
【０００５】
【特許文献１】特開２０１０−１７４４４０号公報
【発明の概要】
【発明が解決しようとする課題】
【０００６】
ここで、ユニット式建物を構成する各建物ユニットの並びによっては、上記の部分梁が隣りの建物ユニットの柱に対向して配置される場合も考えられる。その場合、その柱に対して部分梁をブラケットを介して連結することが考えられる。そうすれば、上記の場合と同様に、部分梁が位置ずれする等の不都合を抑制することが可能となる。
【０００７】
しかしながら、柱は四角柱状をなしているため、柱に対してブラケットをボルト及びナットにより固定することは不可能であると考えられる。すなわち、ブラケットを柱に対してボルトにより固定する場合、ナットを柱の内側に配設する必要が生じるが、そのようなことは実際上不可能であると考えられる。また、ナットを予め柱の内側面に溶接しておけば、ブラケットを柱にボルト固定することが可能とはなるが、ナットを柱の内側面に溶接するのは著しく困難な作業を伴うと考えられる。
【０００８】
なお、上記の部分梁に代えて、両端がそれぞれ柱に固定された通常の下梁を隣りの建物ユニットの柱にブラケットにより連結することも考えられる。また、下梁に代えて、上梁を隣りの建物ユニットの柱に連結することも考えられる。しかしながら、それらの場合にもやはり、上述の問題が同様に生じうることになる。
【０００９】
本発明は、上記事情に鑑みてなされたものであり、大梁の一部よりなる部分梁又は大梁を隣りの建物ユニットの柱に好適に連結することが可能なユニット式建物の柱梁連結構造を提供することを主たる目的とするものである。
【課題を解決するための手段】
【００１０】
上記課題を解決すべく、第１の発明のユニット式建物の柱梁連結構造は、角形鋼管からなる複数の柱と、隣り合う前記柱にそれぞれ連結され形鋼からなる複数の大梁とを有して構成される建物ユニットを備え、その建物ユニットが複数組み合わされることで構築されるユニット式の建物に適用され、前記建物ユニットとして、横並びで隣り合う第１ユニット及び第２ユニットを備え、前記第１ユニットは、前記大梁の一部が取り除かれることにより形成された部分梁又は前記大梁のいずれかであり、前記第２ユニットの前記柱に対向して設けられた対向梁を有しており、前記第２ユニットにおいて前記対向梁と対向する前記柱は対向柱であり、前記対向梁を前記対向柱に対して連結する連結ブラケットを備え、前記連結ブラケットは、前記対向梁における前記対向柱との対向面に第１固定具により固定された梁固定板部と、前記対向柱における前記対向梁との対向面と直交する側面に第２固定具により固定された柱固定板部とを有し、前記柱固定板部は、前記第２固定具が当該柱固定板部を介して前記対向柱にねじ込まれることで当該対向柱に固定されていることを特徴とする。
【００１１】
本発明によれば、横並びで隣り合う第１ユニット及び第２ユニットにおいて、第１ユニットの有する部分梁又は大梁（対向梁）が第２ユニットの柱（対向柱）に対向して配置されており、その配置状態において第１ユニットの対向梁が第２ユニットの対向柱に連結ブラケットを介して連結されている。連結ブラケットは、その梁固定板部が対向梁に第１固定具により固定されている一方、その柱固定板部が対向柱に第２固定具により固定されている。この場合、柱固定板部については第２固定具が当該柱固定板部を介して対向柱にねじ込まれることにより（片面）固定されているため、柱固定板部の固定に際し対向柱の内側にナット等の固定具を配設しなくても済む。そのため、柱固定板部を四角筒状の対向柱に容易に固定することが可能となる。なお、第２固定具としては、例えばタッピングネジが挙げられる。
【００１２】
また、柱固定板部は対向柱の対向面と直交する側面に固定されているため、柱固定板部を対向柱の対向面に固定する場合とは異なり、柱固定板部を第２固定具により対向柱に固定するに際し、対向梁がその作業の邪魔となることがない。そのため、かかる固定作業を好適に行うことができる。よって、この場合、大梁の一部からなる部分梁又は大梁（対向梁）を隣りの建物ユニットの柱（対向柱）に好適に連結することが可能となる。
【００１３】
なお、上述した対向梁を対向柱に連結する作業は、対向柱における対向面と直交する側面（換言すると柱固定板部の固定面）の側の空間（以下、作業空間という）から行うことが考えられる。
【００１４】
第２の発明のユニット式建物の柱梁連結構造は、第１の発明において、前記連結ブラケットは、前記柱固定板部に接続され前記対向柱の前記対向面に対向して設けられた対向板部と、前記対向板部と前記梁固定板部とを繋ぐ繋ぎ板部とを有しており、前記繋ぎ板部は、前記対向板部における前記柱固定板部側とは反対側の端部に接続されており、前記梁固定板部は、前記繋ぎ板部から前記対向板部と同じ側に向けて延びていることを特徴とする。
【００１５】
本発明によれば、連結ブラケットに、対向柱の対向面に対向する対向板部と、対向板部と梁固定板部とを繋ぐ繋ぎ板部とが設けられている。そして、梁固定板部が繋ぎ板部から対向板部と同じ側に延びており、換言すると梁固定板部が繋ぎ板部から上記作業空間側に向けて延びている。この場合、上記作業空間側から梁固定板部を第１固定具により対向梁に固定する際、繋ぎ板部が邪魔となることがないため、かかる固定作業をし易くすることができる。これにより、対向梁を対向柱に連結する作業をより好適に行うことが可能となる。
【００１６】
第３の発明のユニット式建物の柱梁連結構造は、第２の発明において、前記対向板部は、前記対向柱の前記対向面に当接した状態で配置されていることを特徴とする。
【００１７】
本発明によれば、連結ブラケットにおいて柱固定板部が対向柱における対向面と直交する側面に当接して（固定されて）いることに加え、対向板部が対向柱の対向面（側面）に当接している。この場合、連結ブラケットが対向柱の互いに直交する２つの側面にそれぞれ当接した状態で配置されるため、連結ブラケットを対向柱に安定した状態で固定することができる。これにより、連結ブラケットを介した対向柱に対する対向梁の連結状態を安定なものとすることができる。
【００１８】
第４の発明のユニット式建物の柱梁連結構造は、第１乃至第３のいずれかの発明において、前記対向梁は、両端がいずれも前記柱に固定されていない前記部分梁であることを特徴とする。
【００１９】
大梁の一部が取り除かれることにより形成される部分梁としては、その両端がいずれも柱に固定されていないものがある。かかる部分梁は、位置ずれが生じ易いことが考えられる。その点本発明では、かかる部分梁（対向梁）を対向柱に連結ブラケットを介して連結しているため、かかる部分梁を好適に拘束することができ、その位置ずれを抑制することが可能となる。
【００２０】
第５の発明のユニット式建物の柱梁連結構造は、第４の発明において、前記部分梁は、前記大梁としての下梁の一部が取り除かれることにより形成され、前記第１ユニットの内部には、当該下梁の長手方向に並んで複数の土間空間が形成されており、当該下梁において前記各土間空間に対応する部位がそれぞれ取り除かれることにより前記部分梁が形成されていることを特徴とする。
【００２１】
第１ユニットの内部に、下梁の長手方向に並んで複数の土間空間が形成される場合、その下梁においてそれら各土間空間に対応する部位がそれぞれ取り除かれる場合が考えられる。その場合、下梁の上記各部位が取り除かれることで、両端がいずれも柱に固定されていない部分梁が形成される。このような下梁の一部からなる部分梁には、土間空間同士を仕切る仕切壁部等、各種部材が固定されることが考えられる。そのため、その位置ずれを抑制することが特に求められる。その点本発明では、かかる部分梁を対向柱に連結ブラケットを介して連結しているため、その位置ずれを好適に抑制することができる。
【００２２】
第６の発明のユニット式建物の柱梁連結構造は、第５の発明において、前記第１ユニットには、前記各土間空間を仕切る仕切壁部が設けられており、前記第１ユニットの床部には、前記部分梁とその部分梁と対向して設けられる下梁との間に、前記仕切壁部に沿って延びかつ当該仕切壁部を支持する支持梁が架け渡されて設けられていることを特徴とする。
【００２３】
本発明によれば、第１ユニットに複数の土間空間を仕切る仕切壁部が設けられ、その仕切壁部を支持する支持梁が部分梁とその部分梁と対向する下梁との間に架け渡されている。この場合、部分梁には支持梁を介して仕切壁部の荷重が作用することになるため、部分梁を安定した状態で配設することが強く求められる。この点本発明では、かかる構成にあって、部分梁が連結ブラケットを介して対向柱に連結されているため、部分梁の拘束力を高めることができ、その結果仕切壁部を安定した状態で支持することが可能となる。
【００２４】
第７の発明のユニット式建物の柱梁連結構造は、第６の発明において、前記仕切壁部は、横並びに設けられた複数の壁パネルを備え、前記壁パネルは、壁面材と、その壁面材の裏面側に設けられた壁下地材とを有し、前記複数の壁パネルのうち、前記第２ユニット側の端部に配置された壁パネルはその壁下地材が前記部分梁に固定されていることを特徴とする。
【００２５】
本発明によれば、仕切壁部を構成する複数の壁パネルのうち第２ユニット側の端部に配置された壁パネルについては、その壁下地材が部分梁に固定されている。この場合、部分梁が支持梁を架け渡すために用いられるだけでなく、壁パネルを固定する下地材としても利用される。そのため、部分梁の有効利用が図られる。
【図面の簡単な説明】
【００２６】
【図１】（ａ）が建物を構成する建物ユニットの並びを示す平面図であり、（ｂ）が建物の間取りを示す平面図である。
【図２】建物ユニットの構成を示す斜視図。
【図３】建物ユニットの床部の構成を示す斜視図であり、（ａ）が床大梁の一部が取り外される前の状態を示しており、（ｂ）が床大梁の一部が取り外された状態を示している。
【図４】仕切壁部周辺の構成を示す縦断面図。
【図５】（ａ）が部分梁と柱との連結構造を示す横断面図であり、（ｂ）が同構造を示す縦断面図である。
【図６】部分梁を建物ユニットの柱に対して連結する際の作業手順を説明するための図。
【発明を実施するための形態】
【００２７】
以下に、本発明を具体化した一実施の形態について図面を参照しつつ説明する。本実施形態の建物は複数の建物ユニットが互いに組み合わされてなるユニット式建物となっている。図１（ａ）は建物を構成する建物ユニットの並びを示す平面図であり、（ｂ）は建物の間取りを示す平面図である。
【００２８】
図１（ａ）に示すように、建物１０は、横並びに設けられた複数の建物ユニット２０を備える。これら各建物ユニット２０はそれぞれ（平面視の）長手方向を同じ方向に向けて配設されている。各建物ユニット２０のうち一部の建物ユニット２０は長手方向の長さ（長辺部の長さ）が他の建物ユニット２０（以下、長尺状の建物ユニット２０ともいう。）よりも短くされた短尺状の建物ユニット２０（以下、その符号にＡを付す。）となっている。この建物ユニット２０Ａは、長手方向の長さが他の建物ユニット２０の半分程度となっている。
【００２９】
建物ユニット２０Ａは、長尺状の建物ユニット２０（以下、その符号にＢを付す。）に隣り合って設けられている。建物ユニット２０Ａは、その桁面（長辺側の側面）を建物ユニット２０Ｂの桁面と向き合わせ、かつ、その一方の妻面（短辺側の側面）を建物ユニット２０Ｂの一方の妻面と同一平面上に位置合わせした状態で配置されている。この場合、建物ユニット２０Ｂは、その一部が建物ユニット２０Ａよりも長手方向に延出しており、その延出した部分が延出部２８となっている。また、建物ユニット２０Ｂにおいて延出部２８以外の部分、すなわち建物ユニット２０Ａと隣接する部分は隣接部２９となっている。
【００３０】
なお、隣り合う各建物ユニット２０Ａ，２０Ｂのうち、建物ユニット２０Ａが第２ユニットに相当し、建物ユニット２０Ｂが第１ユニットに相当する。
【００３１】
続いて、建物ユニット２０の構成について図２を用いながら説明する。図２は、建物ユニット２０の構成を示す斜視図である。
【００３２】
図２に示すように、建物ユニット２０は、その四隅に配設される４本の柱２１と、各柱２１の上端部及び下端部をそれぞれ連結する各４本の天井大梁２２及び床大梁２３とを備えている。そして、それら柱２１、天井大梁２２及び床大梁２３により直方体状の骨格（フレーム）が形成されている。柱２１は四角筒状の角形鋼（角形鋼管）よりなる。また、天井大梁２２及び床大梁２３は断面コ字状の溝形鋼よりなり、その溝部を水平方向の内側に向けて設置されている。なお、天井大梁２２が上梁に相当し、床大梁２３が下梁に相当する。また、天井大梁２２及び床大梁２３がそれぞれ大梁に相当する。
【００３３】
建物ユニット２０の長辺部の相対する天井大梁２２の間には、所定間隔で複数の天井小梁２５が架け渡されている。同じく建物ユニット２０の長辺部の相対する床大梁２３の間には、所定間隔で複数の床小梁２６が架け渡されている。天井小梁２５と床小梁２６とはそれぞれ同間隔でかつ各々上下に対応する位置に設けられている。例えば、天井小梁２５はリップ溝形鋼よりなり、床小梁２６は角形鋼よりなる。
【００３４】
次に、建物１０の間取りについて図１（ｂ）に基づいて説明する。図１（ｂ）に示すように、建物１０には、屋内空間として玄関１１と廊下１２と居室１３，１４とが設けられているとともに、車両Ｃの駐車が可能なガレージ１５（インナガレージ）が設けられている。
【００３５】
玄関１１は、タイル貼りの土間床（たたき）を有して形成されている。玄関１１は、建物ユニット２０Ａの内部空間と建物ユニット２０Ｂ（詳しくは隣接部２９）の内部空間とに跨がって形成されている。各建物ユニット２０Ａ．２０Ｂの境界部には、それら各建物ユニット２０Ａ，２０Ｂの内部空間を連通する連通部１６が形成されている。この連通部１６を通じて玄関１１が各建物ユニット２０Ａ，２０Ｂに跨がって形成されている。また、玄関１１は外壁部２４によって屋外と仕切られている。
【００３６】
廊下１２は玄関１１と連続して設けられている。廊下１２は、その一部が建物ユニット２０Ｂの隣接部２９の内部空間により形成されている。この場合、隣接部２９では、玄関１１と廊下１２とが建物ユニット２０Ｂの短手方向（ユニット短手方向）に並んで配置されている。
【００３７】
ガレージ１５は、建物１０に一体的に設けられた所謂インナガレージ（付属車庫）となっている。ガレージ１５は、建物ユニット２０Ｂの延出部２８の内部空間により形成されている。この場合、建物ユニット２０Ｂでは、ガレージ１５と玄関１１（及び廊下１２）とが建物ユニット２０Ｂの長手方向（ユニット長手方向）に並んで配置されている。なお、玄関１１及びガレージ１５がそれぞれ土間空間に相当する。
【００３８】
ガレージ１５は、その三方が仕切壁部１７〜１９により囲まれている。ガレージ１５は、仕切壁部１７により玄関１１及び廊下１２と仕切られており、仕切壁部１８により居室１３と仕切られており、仕切壁部１９により居室１４と仕切られている。仕切壁部１７は、建物ユニット２０Ｂの延出部２８及び隣接部２９の境界部に沿って設けられ、外壁部２４と横並びで連続している。
【００３９】
ガレージ１５の一側面には、ガレージ開口部２７が形成されている。このガレージ開口部２７を通じてガレージ１５への車両や人の出入りが可能となっている。ガレージ開口部２７は、建物ユニット２０Ｂにおいて建物ユニット２０Ａと対向する側の側面部３６（桁面部）に形成されている。詳しくは、ガレージ開口部２７は、延出部２８における当該側面部３６に形成されている。また、隣接部２９における当該側面部３６には上記連通部１６が形成されている。したがって、建物ユニット２０Ｂの側面部３６には２つの開口部１６，２７が形成されている。
【００４０】
ここで、建物ユニット２０Ｂは、その側面部３６に連通部１６とガレージ開口部２７とが形成されている関係で、当該側面部３６に配置された床大梁２３の一部、すなわち連通部１６とガレージ開口部２７とに対応する部位が取り除かれている。そのため、建物ユニット２０Ｂは、床部の構成が通常の建物ユニット２０と相違している。
【００４１】
具体的には、建物ユニット２０Ｂは、製造工場において、床部の四辺にそれぞれ床大梁２３が組み付けられ、その組み付け状態で施工現場へと搬送される。そして、施工現場において、上記の床大梁２３から連通部１６とガレージ開口部２７とに対応する部位がそれぞれ取り除かれる。したがって、建物ユニット２０Ｂは、製造工場で製造された製造状態（床大梁２３の一部が取り除かれる前の状態）と、施工現場での設置状態（床大梁２３の一部が取り除かれた後の状態）とで、床部の構成が相違している。そこで以下では、それら各状態における建物ユニット２０Ｂの床部の構成について図３に基づいて説明する。なお、図３は建物ユニット２０Ｂの床部の構成を示す斜視図であり、（ａ）が床大梁２３の一部が取り除かれる前の状態を示しており、（ｂ）が床大梁２３の一部が取り除かれた状態を示している。
【００４２】
まず、図３（ａ）に基づいて、床大梁２３の一部が取り除かれる前の状態（製造工場での製造状態）における建物ユニット２０Ｂの床部の構成について説明する。
【００４３】
図３（ａ）に示すように、建物ユニット２０Ｂの床部に配された４本の床大梁２３のうち、建物ユニット２０Ｂの側面部３６に配された長辺側の床大梁２３（以下、その符号にＸを付す。）は、長手方向に分割された複数の分割梁３１〜３５を備える。床大梁２３Ｘは、それら各分割梁３１〜３５が互いに連結されることにより構成されている。床大梁２３Ｘは、分割梁３１〜３５として、隣り合う各柱２１（なお、一方の柱２１の図示は省略している）にそれぞれ固定された一対の固定梁３１，３２と、連通部１６に対応する部位に配された仮梁３３と、ガレージ開口部２７に対応する部位に配された仮梁３４と、それら各仮梁３３，３４の間に配された部分梁３５とを有する。これら各分割梁３１〜３５はいずれも、同じ断面形状を有する溝形鋼からなる。すなわち、各分割梁３１〜３５はそれぞれ上下に延びるウェブと、そのウェブを挟んで上下両側に設けられた上フランジ及び下フランジとを有している。
【００４４】
各分割梁３１〜３５は連結プレート３７を介して互いに連結されている。連結プレート３７は平板状の鋼板よりなる。連結プレート３７は、隣り合う分割梁３１〜３５の境界部ごとに設けられ、それら隣り合う分割梁３１〜３５同士を互いに連結している。連結プレート３７は、隣り合う分割梁３１〜３５のウェブの外側面に跨がって設けられ、それら各分割梁３１〜３５のウェブ同士を互いに連結している。
【００４５】
連結プレート３７は、各分割梁３１〜３５のうち各仮梁３３，３４の両端部にそれぞれ溶接により固定されている。連結プレート３７は、各仮梁３３，３４のウェブの外側面にその一部が仮梁３３，３４の端部から長手方向（側方）にはみ出した状態で固定されている。以下、連結プレート３７において仮梁３３，３４からはみ出した部分をはみ出し部３７ａという。
【００４６】
仮梁３３の両端部に固定された各連結プレート３７のはみ出し部３７ａはそれぞれ固定梁３１のウェブの外側面及び部分梁３５のウェブの外側面にボルト３８により固定されている。また、仮梁３４の両端部に固定された各連結プレート３７のはみ出し部３７ａはそれぞれ固定梁３２のウェブの外側面及び部分梁３５のウェブの外側面にボルト３８により固定されている。これにより、各仮梁３３，３４はそれぞれ、ボルト３８を取り外すことにより床大梁２３Ｘから取り外し可能とされている。
【００４７】
連結プレート３７のボルト３８固定に関する構成について詳しくは、連結プレート３７のはみ出し部３７ａにはボルト３８を挿通するための挿通孔４１が形成されており、固定梁３１，３２及び部分梁３５のウェブにもそれぞれボルト３８の挿通孔４２が形成されている（図５参照）。そして、ボルト３８がこれら各挿通孔４１，４２に挿通された状態でナット３９（図５参照）と締結されることにより、連結プレート３７がウェブに固定されている。なお、連結プレート３７は上下複数（具体的には２つ）のボルト３８によりウェブに固定されている。
【００４８】
上記のように構成された床大梁２３Ｘは、その各固定梁３１，３２がそれぞれ隣り合う柱２１の側面に溶接により固定されることで、それら柱２１間に架け渡されている。
【００４９】
床大梁２３Ｘの部分梁３５とそれと対向する長辺側の床大梁２３（図示略）との間には床小梁２６（以下、この符号にａを付す）が架け渡されて固定されている。この床小梁２６ａは、後述するように、仕切壁部１７を支持する支持梁として機能するものであり、仕切壁部１７に沿って設けられている（図４参照）。また、床大梁２３Ｘの固定梁３１とそれと対向する床大梁２３との間にも床小梁２６が架け渡されている。この床小梁２６は廊下１２の床面を形成する床材を下方から支持するものである。
【００５０】
続いて、床大梁２３Ｘの一部が取り外された状態（施工現場での設置状態）における建物ユニット２０Ｂの床部の構成について図３（ｂ）に基づいて説明する。
【００５１】
図３（ｂ）に示すように、施工現場では、床大梁２３Ｘから各仮梁３３，３４がそれぞれ取り外される。これら各仮梁３３，３４の取り外しは各ボルト３８が取り外されることにより行われる。各仮梁３３，３４がそれぞれ取り外されると、それら仮梁３３，３４が取り外された部位に梁の存在しない梁欠損部４４，４５が形成される。具体的には、仮梁３３が取り外されることで固定梁３１と部分梁３５との間に梁欠損部４４が形成され、仮梁３４が取り外されることで固定梁３２と部分梁３５との間に梁欠損部４５が形成される。そして、梁欠損部４４を利用して連通部１６が形成され、梁欠損部４５を利用してガレージ開口部２７が形成されるようになっている。また、部分梁３５は、各梁欠損部４４，４５の間に配置され、その両端部がそれぞれ柱２１に固定されていない非固定端となっている。
【００５２】
次に、仕切壁部１７周辺の構成について図４に基づいて説明する。図４は、仕切壁部１７周辺の構成を示す縦断面図であり、図１（ｂ）のＡ−Ａ線断面図に相当する。
【００５３】
図４に示すように、玄関１１とガレージ１５との間の境界部には、同境界部に沿って基礎４９が設けられている。基礎４９上には、当該基礎４９に沿って仕切壁部１７が設けられている。仕切壁部１７は、ガレージ１５側に設けられた壁パネル５１と、玄関１１側に設けられた壁パネル５２とを備える。これら各壁パネル５１，５２はそれぞれ横並びに複数設けられており、それら複数の壁パネル５１，５２により仕切壁部１７が構成されている。
【００５４】
壁パネル５１は、ガレージ１５に面して設けられた壁面材５４と、その壁面材５４の裏面側に固定された壁フレーム５５とを有する。壁面材５４は、窯業系サイディングにより構成されている。壁フレーム５５は、断面コ字状の鋼材よりなる縦フレーム材５５ａ及び横フレーム材５５ｂを有し、それら各フレーム材５５ａ、５５ｂが矩形枠状に連結されることにより構成されている。
【００５５】
壁フレーム５５は、その下端部に配された横フレーム材５５ｂがブラケット５７を介して床小梁２６ａに固定されている。ブラケット５７は、床小梁２６ａのガレージ１５側の面に固定され、そのブラケット５７のガレージ１５側の面に横フレーム材５５ｂがボルト５８で固定されている。これにより、壁フレーム５５ひいては壁パネル５１が床小梁２６ａに固定されている。
【００５６】
壁パネル５２は、玄関１１（及び廊下１２）に面して設けられた壁面材６１と、その壁面材６１の裏面側に固定された壁フレーム６２とを有する。壁面材６１は、石膏ボードにより構成されている。壁フレーム６２は、木製角材よりなる縦フレーム材６２ａ及び横フレーム材６２ｂを有し、それら各フレーム材６２ａ，６２ｂが矩形枠状に連結されることにより構成されている。
【００５７】
壁パネル５２は、床小梁２６ａ上に設けられた下地材６４の上に載置された状態で設けられている。壁パネル５２は、その壁フレーム６２が図示しない下地ブロックを介して壁パネル５１の壁フレーム５５に取り付けられている。これにより、壁パネル５２が壁パネル５１に固定されている。この場合、壁パネル５２は壁パネル５１とともに床小梁２６ａに支持されており、ひいては仕切壁部１７が床小梁２６ａに支持されている。
【００５８】
玄関１１の床部には、複数のタイル６６が枡目状に敷き詰められている。これらのタイル６６により玄関１１の土間床（たたき）が形成されている。タイル６６（以下、この符号にａを付す）は、玄関１１の床部と壁パネル５２の下端部との間にも設けられている。このタイル６６ａは、床小梁２６ａの玄関１１側の側面にタイル下地板６７を介して取り付けられている。このタイル６６ａと壁面材６１との境界部には巾木６８が設けられており、この巾木６８により当該境界部が玄関１１側から覆い隠された状態となっている。
【００５９】
ところで、本実施形態では、床大梁２３Ｘの仮梁３３，３４がそれぞれ取り外されることにより、それら仮梁３３，３４の欠損部（梁欠損部４４，４５）の間に部分梁３５が形成されている。かかる部分梁３５は、両端がいずれも柱２１に固定されていないため、位置ずれが生じ易いと考えられる。そこで、本実施形態では、その点に鑑みて、部分梁３５を隣接する建物ユニット２０Ａの柱２１に対して連結し、それにより部分梁３５の位置ずれ抑制を図っている。以下、かかる部分梁３５と柱２１との連結構造（図１（ａ）の領域Ｂ内）について図５に基づいて説明する。図５において（ａ）が部分梁３５と柱２１との連結構造を示す横断面図であり、（ｂ）が同構造を示す縦断面図である。なお、図５（ｂ）では便宜上、各壁パネル５１，５２，８５，８６の図示を省略している。
【００６０】
まず、部分梁３５と柱２１との連結構造を説明するのに先立ち、建物ユニット２０Ａ側の構成について説明する。
【００６１】
図５（ａ）及び（ｂ）に示すように、建物ユニット２０Ａには、仕切壁部１７と横並びで外壁部２４が設けられている。外壁部２４は、仕切壁部１７と同様の構成からなり、屋外側（ガレージ１５側）に設けられた壁パネル８５と、玄関１１側に設けられた壁パネル８６とを備える。外壁部２４は、これら各壁パネル８５，８６が横並びに設けられることにより構成されている。
【００６２】
壁パネル８５は、仕切壁部１７の壁パネル５１と概ね同様の構成を有しており、壁パネル８６は、仕切壁部１７の壁パネル５２と概ね同様の構成を有している。壁パネル８５は、屋外に面して設けられた壁面材８８と、その壁面材８８の裏面側に固定された壁フレーム（図示略）とを有している。壁面材８８は、壁パネル５１の壁面材５４と同じ窯業系サイディングよりなり、意匠性の統一が図られている。また、これら各壁面材５４，８８は互いの外壁面が面一とされている。
【００６３】
壁パネル８６は、玄関１１に面して設けられた壁面材８９と、その壁面材８９の裏面側に設けられた壁フレーム（図示略）とを有している。壁面材８９は、壁パネル５２の壁面材６１と同じ石膏ボードよりなる。これら各壁面材６１，８９は、互いの内壁面が面一とされている。
【００６４】
建物ユニット２０Ａの床部には、建物ユニット２０Ｂとの境界部に連通部１６が形成される関係で、当該境界部側に床大梁２３が設けられていない。この点に関して説明すると、製造工場での建物ユニット２０Ａの製造時には、当該境界側に床大梁２３（以下、その符号にａを付す。図５（ｂ）中の一点鎖線を参照。）が仮固定され、その仮固定状態で建物ユニット２０Ａが施工現場へ搬送される。そして、施工現場において、この床大梁２３ａが建物ユニット２０Ａから取り外されるものとなっている。この床大梁２３ａが取り外されることで、その床大梁２３ａが取り外された部位が梁欠損部となり、その梁欠損部を利用して連通部１６が形成されている。
【００６５】
なお、上記の床大梁２３ａは、柱２１に対してブラケット９１を介して仮固定されるようになっている。このブラケット９１は、矩形平板状の鋼板よりなる。ブラケット９１は、床大梁２３ａを挟んだ両側の各柱２１の側面に溶接により固定され、それら各ブラケット９１に床大梁２３ａが架け渡された状態で仮固定される。なお、かかる仮固定は、例えばボルトにより行われる。
【００６６】
続いて、建物ユニット２０Ａの柱２１に対する部分梁３５の連結構造について説明する。
【００６７】
建物ユニット２０Ｂの部分梁３５は、仕切壁部１７の壁内部、詳しくは各壁パネル５１，５２の壁面材５４，６１の間に設けられている。部分梁３５は、各壁パネル５１，５２の壁面材５４，６１の間に跨がるように設けられ、その梁長さ（仕切壁部１７の厚み方向における長さ）が各壁面材５４，６１同士の間隔よりも若干小さい長さに設定されている。部分梁３５は、基礎４９上に図示しないスペーサを介して設けられ、その溝部を建物ユニット２０Ｂの水平方向内側に向けて配置されている。
【００６８】
部分梁３５は、建物ユニット２０Ａの柱２１（以下、その符号にＸを付す）に対向して設けられている。この柱２１Ｘは、外壁部２４の壁内部、詳しくは各壁パネル８５，８６の壁面材８８，８９の間に配設されている。部分梁３５は、そのウェブ３５ａの外側面を柱２１Ｘの側面２１ａに対向させて配置されている。この場合、部分梁３５と柱２１Ｘとが壁部（外壁部２４及び仕切壁部１７）の内部において、各建物ユニット２０Ａ，２０Ｂの並ぶユニット並び方向に対向して配置されている。
【００６９】
なお、この場合、建物ユニット２０Ａの柱２１Ｘが「対向柱」に相当し、部分梁３５が「対向梁」に相当する。また、柱２１Ｘの側面２１ａが「対向柱の対向面」に相当し、部分梁３５のウェブ３５ａの外側面が「部分梁の対向面」に相当する。
【００７０】
部分梁３５と柱２１Ｘとが対向する対向部分には、部分梁３５を柱２１Ｘに対して連結する連結ブラケット７０が設けられている。連結ブラケット７０は、帯板状の鋼板が折り曲げられる（屈曲される）ことにより形成されている。連結ブラケット７０は、部分梁３５のウェブ３５ａの外側面に固定された梁固定板部７１と、柱２１Ｘにおける玄関１１側の側面２１ｂ（対向柱の対向面と直交する側面に相当）に固定された柱固定板部７２と、それら梁固定板部７１及び柱固定板部７２を連結する連結板部７３とを備える。
【００７１】
梁固定板部７１は、ボルト３８及びナット３９の締結により部分梁３５のウェブ３５ａに固定されている。ボルト３８（第１固定具に相当）は、梁固定板部７１に形成された孔部７１ａとウェブ３５ａの挿通孔４２とにそれぞれ挿通されており、その挿通状態でウェブ３５ａの内側面に溶接固定されたナット３９と締結されている。具体的には、ウェブ３５ａには、部分梁３５の梁長さ方向（仕切壁部１７の厚み方向と同方向）に沿って複数の挿通孔４２が形成されている。より具体的には、ウェブ３５ａには、各仮梁３３，３４をボルト３８により固定（仮固定）する際に利用していた複数の挿通孔４２が上記梁長さ方向に並んで配置されている。そして、梁固定板部７１は、それら複数の挿通孔４２のうち玄関１１側（連通部１６側）の挿通孔４２を利用してボルト３８によりウェブ３５ａに固定されている。なお、ボルト３８は、例えば仮梁３３，３４の取り外しの際に取り外されたボルト３８が流用される。
【００７２】
柱固定板部７２は、柱２１Ｘの側面２１ｂに上下複数（具体的には３つ）のタッピングネジ７８（第２固定具に相当）により固定されている。柱固定板部７２は、柱２１Ｘの側面２１ｂにおいてブラケット９１よりも建物ユニット２０Ｂ（部分梁３５）寄りの位置に固定されている。柱２１Ｘにおいて側面２１ｂを形成する側壁部にはタッピングネジ７８を挿通する(止め付ける)ための挿通孔７９（換言すると止め付け孔７９）が形成されている。また、柱固定板部７２にも、タッピングネジ７８を挿通するための挿通孔８１が形成されている。タッピングネジ７８は、柱固定板部７２の挿通孔８１を介して柱２１Ｘの挿通孔７９にねじ込まれている。これにより、柱固定板部７２が柱２１Ｘの側面２１ｂに対して固定されている。
【００７３】
連結板部７３は、柱２１Ｘの側面２１ａに対向して設けられた対向板部７４と、その対向板部７４と梁固定板部７１とを繋ぐ繋ぎ板部７５とを有する。対向板部７４は、柱固定板部７２における建物ユニット２０Ｂ（部分梁３５）側の端部に接続されており、柱２１Ｘの側面２１ａに当接した状態で配置されている。
【００７４】
繋ぎ板部７５は、仕切壁部１７（外壁部２４）の壁厚み方向における対向板部７４の屋外側（換言すると玄関１１側とは反対側）の端部と、上記壁厚み方向における梁固定板部７１のガレージ１５側（換言すると玄関１１側とは反対側）の端部とを繋いでいる。換言すると、繋ぎ板部７５は、対向板部７４における柱固定板部７２側とは反対側の端部に接続され、その繋ぎ板部７５から梁固定板部７１が対向板部７４と同じ側すなわち玄関１１側に向けて延びている。この場合、対向板部７４と繋ぎ板部７５と梁固定板部７１とが平面視においてコ字状をなすように配置されている。また、繋ぎ板部７５は、柱２１Ｘと部分梁３５との対向部分において、上記壁厚み方向における略中央部又はそれよりも玄関１１寄りに配置されている。
【００７５】
なお、上記壁厚み方向は、各建物ユニット２０Ａ，２０Ｂの並ぶユニット並び方向と直交する水平方向と同じ方向である。
【００７６】
対向板部７４と繋ぎ板部７５と梁固定板部７１とにより囲まれた内側には玄関１１側に向けて開放された溝部７６が形成されている。本実施形態では、この溝部７６に仕切壁部１７（外壁部２４）の内部を上下に延びる配線Ｋが配設されており、溝部７６が配線Ｋの配設スペースとして利用されている。但し、溝部７６を、グラスウール等の断熱材を配設する配設スペースとして利用する等その他の用途で利用してもよい。
【００７７】
また、連結ブラケット７０は、その上端部が部分梁３５の上端部よりも上方に突出しない高さ位置に配置されている。詳しくは、連結ブラケット７０は、その上端部が部分梁３５の上端部と同じ高さ位置に設定されている。これにより、例えば連結ブラケット７０の上方に床面材や壁材等の部材が事後的に配置されても、それらの部材が連結ブラケット７０に干渉するのを回避することが可能となっている。
【００７８】
部分梁３５には、仕切壁部１７を構成する各壁パネル５１のうち、外壁部２４に隣接配置された（換言すると建物ユニット２０Ａ側の端部に配置された）壁パネル５１が固定されている。この壁パネル５１は、壁面材５４の裏面側に上下方向に延びる縦フレーム材８３を有している。縦フレーム材８３は、断面Ｌ字状をなす鋼材により形成されており、壁面材５４の裏面側にて外壁部２４（建物ユニット２０Ａ）寄りに配置されている。なお、この縦フレーム材８３が壁下地材に相当する。
【００７９】
縦フレーム材８３は、壁面材５４の裏面側に固定された壁固定板部８３ａと、部分梁３５のウェブ３５ａの外側面に固定された梁固定板部８３ｂとを有している。梁固定板部８３ｂは、ボルト３８及びナット３９の締結によりウェブ３５ａに固定されている。梁固定板部８３ｂは、ウェブ３５ａにおいて連結ブラケット７０の梁固定板部７１よりもガレージ１５側の位置で固定されている。この場合、連結ブラケット７０の梁固定板部７１と縦フレーム材８３の梁固定板部８３ｂとがウェブ３５ａにおいて仕切壁部１７の壁厚み方向に並んで配置されている。また、ボルト３８は、梁固定板部８３ｂに形成された孔部８４とウェブ３５ａの挿通孔４２とにそれぞれ挿通され、その挿通状態でウェブ３５ａの内側面に溶接固定されたナット３９と締結されている。具体的には、梁固定板部８３ｂは、ウェブ３５ａに設けられた複数の挿通孔４２のうちガレージ１５側（屋外側）の挿通孔４２を利用してボルト３８固定されている。なお、ボルト３８は、梁固定板部７１の固定の場合と同様、仮梁３３，３４の固定ボルト３８が流用される。
【００８０】
次に、建物ユニット２０Ｂの部分梁３５を建物ユニット２０Ａの柱２１Ｘに連結する際の作業手順について図６に基づいて説明する。図６は、かかる作業手順を説明するための図である。
【００８１】
まず製造工場では、建物１０を構成する各建物ユニット２０を製造する。この際、建物ユニット２０Ａについては、その床部に床大梁２３ａを仮固定しておく。また、建物ユニット２０Ａの外壁部２４を構成する各壁パネル８６のうち、少なくとも仕切壁部１７との隣接部に配置される壁パネル８６については建物ユニット２０Ａに組み付けないでおく。
【００８２】
建物ユニット２０Ｂについては、その床部に床大梁２３Ｘ（各仮梁３３，３４を含む床大梁２３Ｘ）を組み付けておく。また、建物ユニット２０Ｂの仕切壁部１７を構成する各壁パネル５１，５２のうち、少なくとも外壁部２４との隣接部に配置される壁パネル５１，５２については建物ユニット２０Ｂに組み付けないでおく。
【００８３】
各建物ユニット２０を製造した後、それら各建物ユニット２０をトラック等で施工現場へ搬送する。
【００８４】
施工現場では、まず製造工場から搬送されてきた各建物ユニット２０をそれぞれ所定の位置に設置する。各建物ユニット２０を設置した後、建物ユニット２０Ａから床大梁２３ａを取り外すとともに、建物ユニット２０Ｂの床大梁２３Ｘから各仮梁３３，３４を取り外す。これにより、図６（ａ）に示すように、建物ユニット２０Ｂの床部に部分梁３５が形成され、その部分梁３５と建物ユニット２０Ａの柱２１Ｘとが互いに対向配置される。また、この際、仕切壁部１７と外壁部２４との境界部に位置する玄関１１側の各壁パネル５２，８６がそれぞれ配設されていないため、部分梁３５と柱２１Ｘとがそれぞれ玄関１１側に露出している。
【００８５】
続いて、部分梁３５を建物ユニット２０Ａの柱２１Ｘに連結ブラケット７０を用いて連結する作業を行う。本実施形態では、この連結作業を玄関１１（作業空間に相当）側から行うことを想定している。かかる連結作業に際しては、まず図６（ｂ）に示すように、連結ブラケット７０を部分梁３５と柱２１Ｘとの対向部分に配置し、その梁固定板部７１をボルト３８及びナット３９により部分梁３５のウェブ３５ａに固定する。詳しくは、玄関１１側から連結ブラケット７０の溝部７６に手を挿し入れて、かかるボルト３８による固定作業を行う。
【００８６】
続いて、図６（ｃ）に示すように、連結ブラケット７０の柱固定板部７２をタッピングネジ７８により柱２１の側面２１ｂに固定する。これにより、部分梁３５が柱２１Ｘに連結ブラケット７０を介して連結される。
【００８７】
その後、図６（ｄ）に示すように、建物ユニット２０Ａに残りの壁パネル８６（仕切壁部１７との隣接部に配置される壁パネル８６）を組み付けるとともに、建物ユニット２０Ｂに残りの壁パネル５１，５２（外壁部２４との隣接部に配置される壁パネル５１，５２）を組み付ける。
【００８８】
以上、詳述した本実施形態の構成によれば、以下の優れた効果が得られる。
【００８９】
建物ユニット２０Ｂの部分梁３５を建物ユニット２０Ａの柱２１Ｘに対向させて配置し、その配置状態で部分梁３５を柱２１Ｘに対し連結ブラケット７０を介して連結した。連結ブラケット７０には、部分梁３５に対してボルト３８（第１固定具に相当）により固定される梁固定板部７１と、柱２１Ｘに対してタッピングネジ７８（第２固定具に相当）により固定される柱固定板部７２とを設けた。タッピングネジ７８による固定は、ボルトによる固定の場合とは異なりナットを用いなくても済むため、この場合、柱固定板部７２を四角筒状の柱２１Ｘに容易に固定することが可能となる。
【００９０】
また、柱固定板部７２を柱２１Ｘにおける玄関１１側の側面２１ｂ、換言すると柱２１Ｘにおける部分梁３５との対向面（側面２１ａ）と直交する側面２１ｂに固定したため、柱固定板部７２を柱２１Ｘの側面２１ａに固定する場合とは異なり、柱固定板部７２をタッピングネジ７８により柱２１Ｘに固定する際、部分梁３５がその作業の邪魔となることがない。そのため、かかる固定作業を好適に行うことができる。よって、この場合、（玄関１１側から）部分梁３５を隣りの建物ユニット２０Ａの柱２１Ｘに好適に連結することが可能となる。
【００９１】
連結ブラケット７０に、柱２１Ｘの側面２１ａ（対向面に相当）に対向して設けられる対向板部７４と、その対向板部７４と梁固定板部７１とを繋ぐ繋ぎ板部７５とを設け、梁固定板部７１を繋ぎ板部７５から対向板部７４と同じ側すなわち玄関１１（作業空間に相当）側に向けて延びるように形成した。この場合、玄関１１側から梁固定板部７１をボルト３８により部分梁３５に固定する際、繋ぎ板部７５が邪魔となることがないため、かかる固定作業をし易くすることができる。これにより、部分梁３５を柱２１Ｘに連結する作業をより好適に行うことが可能となる。
【００９２】
連結ブラケット７０において柱固定板部７２を柱２１Ｘの側面２１ｂに当接させる（固定する）ことに加え、対向板部７４を柱２１Ｘの側面２１ａに当接させた。この場合、連結ブラケット７０が柱２１Ｘにおいて互いに直交する２つの側面２１ａ，２１ｂにそれぞれ当接した状態で配置されるため、連結ブラケット７０を柱２１Ｘに対して安定した状態で固定することができる。これにより、連結ブラケット７０を介した柱２１Ｘに対する部分梁３５の連結状態を安定なものとすることができる。
【００９３】
両端がいずれも柱２１に固定されていない部分梁３５は位置ずれし易いことが考えられる。その点、かかる部分梁３５を柱２１Ｘに連結ブラケット７０を介して連結したため、かかる部分梁３５を好適に拘束することができ、その位置ずれを抑制することが可能となる。
【００９４】
建物ユニット２０Ｂの内部に床大梁２３Ｘの長手方向（換言するとユニット並び方向）に並んで玄関１１及びガレージ１５を形成した構成にあって、その床大梁２３Ｘの一部、すなわち玄関１１とガレージ１５とに対応する部位（具体的には仮梁３３，３４）をそれぞれ取り除くことで部分梁３５を形成した。このような床大梁２３Ｘの一部から部分梁３５には、玄関１１とガレージ１５とを仕切る仕切壁部１７等の各種部材が固定されることが考えられるため、その位置ずれを抑制することが特に求められる。その点、かかる部分梁３５を連結ブラケット７０を介して柱２１Ｘに連結したため、その位置ずれを好適に抑制することが可能となる。
【００９５】
部分梁３５とそれと対向する床大梁２３との間に、仕切壁部１７に沿って延び当該仕切壁部１７を支持する床小梁２６ａを架け渡して設けた。この場合、部分梁３５には、床小梁２６ａを介して仕切壁部１７の荷重が作用するため、部分梁３５を安定した状態で配設することが強く求められる。この点、かかる部分梁３５を連結ブラケット７０を介して柱２１Ｘに連結したため、部分梁３５の拘束力を高めることができ、その結果仕切壁部１７を安定した状態で支持することが可能となる。
【００９６】
仕切壁部１７を構成する複数の壁パネル５１のうち建物ユニット２０Ａ側の端部に配置された壁パネル５１の縦フレーム材８３を部分梁３５に固定した。この場合、部分梁３５が床小梁２６ａを架け渡すために用いられるだけでなく、壁パネル５１を固定する下地材としても利用されるため、部分梁３５の有効利用が図られる。
【００９７】
本発明は上記実施形態に限らず、例えば次のように実施されてもよい。
【００９８】
（１）連結ブラケット７０の形状は必ずしも上記実施形態のものに限定されない。例えば、連結ブラケットを互いに直交する２つの板部を有するＬ字状に形成してもよい。その場合、２つの板部のうち一方の板部（梁固定板部に相当）を部分梁３５のウェブ３５ａに固定し、他方の板部（柱固定板部に相当）を柱２１Ｘの側面２１ｂに固定すればよい。その場合でも、部分梁３５を柱２１Ｘに対して好適に連結することが可能となる。
【００９９】
（２）上記実施形態では、連結ブラケット７０の対向板部７４を柱２１Ｘの側面２１ａに当接させたが、対向板部７４を側面２１ａに当接させないでもよい。つまり、対向板部７４と側面２１ａとの間に所定の隙間を設けてもよい。
【０１００】
（３）上記実施形態では、柱２１Ｘにおいて側面２１ａ（部分梁３５との対向面）と直交する２つの側面のうち玄関１１側の側面２１ｂに連結ブラケット７０の柱固定板部７２を固定したが、これに代えて、屋外側の側面（側面２１ｂと対向する側面）に柱固定板部７２を固定してもよい。その場合、屋外側（ガレージ１５側）から部分梁３５を柱２１Ｘに連結する作業を行えばよい。但しこの場合、製造工場にて、建物ユニット２０Ａの各壁パネル８５のうち仕切壁部１７と隣接配置される屋外側（ガレージ１５側）の一部の壁パネル８５については建物ユニット２０Ａに組み付けないでおく必要がある。
【０１０１】
（４）上記実施形態では、建物ユニット２０Ｂの内部に、ユニット長手方向（床大梁２３Ｘの長手方向）に並ぶ複数の土間空間として玄関１１及びガレージ１５を設けたが、これら複数の土間空間は必ずしも玄関１１及びガレージ１５の組み合わせでなくてもよい。例えば、ガレージ１５に代えてアルコーブにしたり、玄関１１に代えて土間にしたりすることが考えられる。また、複数の土間空間をいずれもガレージにしてもよい。
【０１０２】
また、上記実施形態では、玄関１１を各建物ユニット２０Ａ，２０Ｂに跨がって形成したが、これに代えて、玄関１１を建物ユニット２０Ｂ（隣接部２９）にのみ形成するようにしてもよい。
【０１０３】
（５）上記実施形態では、両端がそれぞれ柱２１に固定されていない部分梁３５を連結ブラケット７０により建物ユニット２０Ａの柱２１Ｘに連結したが、一端のみが柱２１に固定されていない（換言すると一端のみ柱２１に固定されている）片持ち状の部分梁を連結ブラケット７０により柱２１Ｘに連結してもよい。その場合でも、かかる片持ち状の部分梁を柱２１Ｘに拘束することができるため、かかる部分梁の位置ずれを好適に抑制することができる。
【０１０４】
また、部分梁だけでなく、両端がそれぞれ柱２１に固定されている床大梁２３を柱２１Ｘに対して連結ブラケット７０により連結してもよい。その場合、床大梁２３の拘束力を高めることができる。
【０１０５】
（６）上記実施形態では、床大梁２３Ｘ（下梁）の一部（仮梁３３，３４）を取り除くことにより形成した部分梁３５を柱２１Ｘに対して連結ブラケット７０により連結したが、例えば天井大梁２２（上梁）の一部を取り除くことにより形成した天井側の部分梁を柱２１Ｘに対して連結するようにしてもよい。天井大梁２２についても、建物内に上下階に跨がる吹き抜け空間を形成する場合等にその一部が取り除かれることが考えられ、その場合やはり部分梁が形成されることになる。そのため、そのような場合に、かかる天井側の部分梁に本発明の連結構造を適用してもよい。
【０１０６】
（７）上記実施形態では、床大梁２３が溝形鋼により形成されている場合について説明したが、床大梁２３がＨ形鋼や角形鋼等、他の形鋼により形成されている場合にも同様に本発明を適用することができる。
【０１０７】
（８）上記実施形態では、第１固定具としてボルト３８を用いたが、第１固定具としてタッピングネジやビス等その他の固定具を用いてもよい。また、上記実施形態では、第２固定具としてタッピングネジ７８を用いたが、ワンサイドボルトやセルフタッピングネジ等その他の固定具を用いてもよい。なお、第２固定具としてセルフタッピングネジを用いる場合には、柱２１Ｘに予め挿通孔７９を設けておく必要がなく、セルフタッピングネジをねじ込みながら柱２１Ｘに挿通孔を形成すればよい。
【符号の説明】
【０１０８】
１０…建物、１７…仕切壁部、２０…建物ユニット、２０Ａ…第２ユニットとしての建物ユニット、２０Ｂ…第１ユニットとしての建物ユニット、２１…柱、２１ａ…対向面としての側面、２１ｂ…側面、２１Ｘ…対向柱としての柱、２２…大梁及び上梁としての天井大梁、２３…大梁及び下梁としての床大梁、２６ａ…支持梁としての床小梁、３５…対向梁としての部分梁、３８…第１固定具としてのボルト、５１…壁パネル、５２…壁面材、７０…連結ブラケット、７１…梁固定板部、７２…柱固定板部、７４…対向板部、７５…繋ぎ板部、７８…第２固定具としてのタッピングネジ、８３…壁下地材としての縦フレーム材。
【図１】
2015183402.tif 000003
【図２】
2015183402.tif 000004
【図３】
2015183402.tif 000005
【図４】
2015183402.tif 000006
【図５】
2015183402.tif 000007
【図６】
2015183402.tif 000008